(57)【要約】      （修正有）【課題】コード化された記述媒体とともに使用可能なインタアクティブな装置を提供する。【解決手段】インタアクティブな装置は、オーディオ記録モード及びオーディオ再生モードを有する。この装置は、コード化された記述媒体上に手で記述する筆記ツールと、オーディオデータの入力装置と、記録されたオーディオを再生する出力装置とを含む。更に、インタアクティブな装置は、筆記ツールの、コード化された記述媒体上の位置を判定し、かつ、コード化された記述媒体上の情報を認識する光ユニットを有し、コード化された記述媒体上への記録の指示により、オーディオ記録モードが起動され、筆記ツールによる、コード化された記述媒体上の記述の作成と、オーディオの記録との時間的な同期をとることが可能になる。また、再生の指示により、オーディオ再生モードが起動され、複数の手法によって記録オーディオの再生を制御することが可能になる。【選択図】図２
2006202282.tif 000002
【特許請求の範囲】
【請求項１】
オーディオ記録モード及びオーディオ再生モードを有するインタアクティブな装置であって、
コード化された記述媒体上に手で記述する筆記ツールと、
オーディオを記録するオーディオ入力装置と、
前記記録オーディオを再生するオーディオ出力装置と、
前記筆記ツールの、前記コード化された記述媒体上の位置を判定し、かつ、前記コード化された記述媒体上の情報を認識する光ユニットとを備え、
前記コード化された記述媒体上の、記録をイネーブルするグラフィカル・エレメントが認識されることによって、前記オーディオ記録モードが起動され、前記筆記ツールによる、前記コード化記述媒体上の記述の作成と、前記オーディオの記録との時間的な同期をとることが可能になり、
前記コード化された記述媒体上の、再生をイネーブルするグラフィカル・エレメントが認識されることによって、前記オーディオ再生モードが起動され、複数の手法によって前記記録オーディオの再生を制御することが可能になることを特徴とするインタアクティブな装置。
【請求項２】
請求項1記載のインタアクティブな装置であって、
前記記述に関連した記録オーディオ及び情報を記憶するメモリ装置を更に備えることを特徴とするインタアクティブな装置。
【請求項３】
請求項1記載のインタアクティブな装置であって、
前記記述に関連した記録オーディオ及び情報を遠隔記憶場所に伝送する通信装置を更に備えることを特徴とするインタアクティブな装置。
【請求項４】
システムであって、
データ記憶装置を備えるネットワークと、
オーディオ記録モード及びオーディオ再生モードを有するインタアクティブな装置とを備え、
該インタアクティブな装置は、
コード化された記述媒体上に手で記述する筆記ツールと、
オーディオを記録するオーディオ入力装置と、
前記記録オーディオを再生するオーディオ出力装置と、
前記筆記ツールの、前記コード化された記述媒体上の位置を判定し、かつ、前記コード化された記述媒体上の情報を認識する光ユニットとを備え、
前記コード化された記述媒体上の、記録をイネーブルするグラフィカル・エレメントが認識されることによって、前記オーディオ記録モードが起動され、前記筆記ツールによる、前記コード化された記述媒体上の記述の作成と、前記オーディオの記録との時間的な同期をとることが可能になり、更に、前記コード化された記述媒体上の、再生をイネーブルするグラフィカル・エレメントが認識されることによって、前記オーディオ再生モードが起動され、複数の手法によって前記記録オーディオの再生を制御することが可能になり、
更に、前記ネットワークと通信する通信装置を備え、
該通信装置は、前記記述に関連した、前記記録オーディオの少なくとも一部分と、情報の一部分とを、記憶するよう、前記データ記憶装置に伝送することを特徴とするシステム。
【請求項５】
請求項4記載のシステムであって、
前記インタアクティブな装置が、前記記述に関連した、前記記録オーディオの少なくとも一部分と、情報の少なくとも一部分とを記憶するメモリ装置を更に備えることを特徴とするシステム。
【請求項６】
請求項4記載のシステムであって、
ハード・ドライブを備えるコンピュータ・システムを更に備え、
前記通信装置は、前記コンピュータ・システムと通信し、
前記通信装置は、前記記述に関連した、前記記録オーディオの少なくとも一部分と、情報の少なくとも一部分とを、記憶するよう前記ハード・ドライブに伝送することを特徴とするシステム。
【請求項７】
請求項3記載のインタアクティブな装置又は、請求項4記載のシステムであって、
前記通信装置は無線通信装置を備えることを特徴とする、インタアクティブな装置又は、システム。
【請求項８】
請求項3記載のインタアクティブな装置又は、請求項4記載のシステムであって、
前記コード化された記述媒体は、点グリッドによってコード化された紙を備えることを特徴とする、インタアクティブな装置又は、システム。
【請求項９】
請求項1記載のインタアクティブな装置又は、請求項4記載のシステムであって、
前記筆記ツールが、ペンと鉛筆との一方であることを特徴とする、インタアクティブな装置又は、システム。
【請求項１０】
請求項1記載のインタアクティブな装置又は、請求項4記載のシステムであって、
前記記録をイネーブルするグラフィカル・エレメントと、前記再生をイネーブルするグラフィカル・エレメントが、前記筆記ツールによって、前記コード化された記述媒体上に描かれることを特徴とする、インタアクティブな装置又は、システム。
【請求項１１】
請求項1記載のインタアクティブな装置又は、請求項4記載のシステムであって、
前記コード化された記述媒体上の、制御をイネーブルするグラフィカル・エレメントが認識されることによって、前記オーディオ記録モード及び前記オーディオ再生モードを制御することが可能になり、
前記複数の手法が、
前記制御をイネーブルするグラフィカル・エレメントを用いて前記記録オーディオの再生を制御する手法と、前記記述と、前記時間的な同期をとることとを用いて、前記コード化された記述媒体上の前記記述上の、前記筆記ツールの位置に基づいて、前記記録オーディオの再生を開始する場所を示す手法とを含むことを特徴とする、インタアクティブな装置又は、システム。
【請求項１２】
請求項1記載のインタアクティブな装置又は、請求項4記載のシステムであって、
前記光ユニットは、プロセッサと、光エミッタと、光検出器とを備えることを特徴とする、インタアクティブな装置又は、システム。
【請求項１３】
請求項1記載のインタアクティブな装置又は、請求項4記載のシステムであって、
前記光ユニットは更に、前記オーディオ記録モードにおける前記オーディオの記録中に、前記コード化された記述媒体の表面上の記述の光学的画像を捕捉し、記憶することを特徴とする、インタアクティブな装置又は、システム。
【請求項１４】
オーディオと、コード化された記述媒体とをインタアクティブな装置を用いて視覚的に一体化させる方法であって、該方法が、
前記コード化された記述媒体上の、記録をイネーブルするグラフィカル・エレメントが認識されることに応じて前記インタアクティブな装置のオーディオ記録モードを起動させる工程を備え、
前記インタアクティブな装置は、筆記ツールと、オーディオ入力装置と、オーディオ出力装置とを備え、
前記インタアクティブな装置を用いてオーディオを記録している間に、前記筆記ツールによる、前記コード化された記述媒体上の記述の作成と、前記オーディオの記録との時間的な同期を前記インタアクティブな装置を用いて、とる工程と、
前記コード化された記述媒体上の、制御をイネーブルする複数のグラフィカル・エレメントのうちの少なくとも１つが認識されることに応じて前記インタアクティブな装置の前記オーディオ記録モードを非活動化させる工程とを備えることを特徴とする方法。
【請求項１５】
請求項14記載の方法であって、更に、
前記コード化された記述媒体上の、再生をイネーブルするグラフィカル・エレメントが認識されることに応じて前記インタアクティブな装置のオーディオ再生モードを起動させる工程と、
前記オーディオ再生モードにおいて、前記記述に関連した記録オーディオを取り出し、前記記録オーディオを前記インタアクティブな装置を用いて再生する工程と、
前記コード化された記述媒体上の、前記制御をイネーブルする複数のグラフィカル・エレメントのうちの少なくとも１つが認識されることに応じて前記インタアクティブな装置の前記オーディオ再生モードを非活動化させる工程とを備えることを特徴とする方法。
【請求項１６】
請求項15記載の方法であって、更に、
前記制御をイネーブルするグラフィカル・エレメントを用いて、前記記録オーディオの再生を制御する工程と、
前記記述と、前記時間的な同期をとることとを用いて、前記コード化された記述媒体上の前記記述上の、前記筆記ツールの位置に基づいて、前記記録オーディオの再生を開始する場所を示す工程とを備えることを特徴とする方法。
【請求項１７】
請求項14記載の方法であって、更に、
前記インタアクティブな装置のメモリ装置に、前記記述に関連した記録オーディオ及び情報を記憶する工程を更に備えることを特徴とする方法。
【請求項１８】
請求項14記載の方法であって、更に、
前記記述に関連した記録オーディオ及び情報を遠隔記憶場所に無線で伝送することを特徴とする方法。
【請求項１９】
請求項14記載の方法であって、
前記コード化された記述媒体が、点グリッドによってコード化された紙を備えることを特徴とする方法。
【請求項２０】
請求項14記載の方法であって、
前記筆記ツールが、ペンと鉛筆との一方であることを特徴とする方法。
【請求項２１】
請求項20記載の方法であって、
前記記録をイネーブルするグラフィカル・エレメントが、前記筆記ツールによって描かれることを特徴とする方法。
【請求項２２】
請求項14記載の方法であって、
前記オーディオ記録モードにおける前記オーディオの記録中に前記コード化された記述媒体の表面上の前記記述の光学的画像を捕捉し、記憶する工程を更に備えることを特徴とする方法。
【請求項２３】
オーディオ記録を処理する方法であって、
記述表面上の第１のグラフィカル・エレメントが認識されることに応じてオーディオ信号の記録を行う工程を備え、前記認識は、プロセッサと、メモリと、オーディオ記録装置とを備える筆記器具によって行われ、
更に、第２のグラフィカル・エレメントが認識されることに応じて、前記記録を終える工程を備え、該認識は、前記筆記器具によって行われ、
更に、前記記録をディジタル形式で記憶し、前記オーディオ信号の前記記録と、該記録中に前記筆記器具によって作成される何れかの記述との間の時間的な同期化を記憶する工程を備えることを特徴とする方法。
【請求項２４】
請求項23記載の方法であって、
前記記憶する工程が、前記筆記器具に対して遠く離れているコンピュータ・システム上で行われることを特徴とする方法。
【請求項２５】
請求項23記載の方法であって、
前記筆記器具は、前記記述表面上の、前記筆記器具の表面位置を検出するセンサを更に備え、
更に、前記記録中の離散的な期間中に前記筆記器具の表面位置情報をリアルタイムでメモリに記憶する工程を備えることを特徴とする方法。
【請求項２６】
請求項23記載の方法であって、
前記筆記器具によって第３のグラフィカル・エレメントが認識されることに応じて前記記録の再生を引き起こす工程を更に備え、前記再生を引き起こす工程が、
再生するよう前記記録をアクセスする工程と、
前記記録を可聴的にレンダリングする工程とを備えることを特徴とする方法。
【請求項２７】
請求項26記載の方法であって、
前記アクセスする工程が、前記筆記器具に対して遠く離れている記憶システムを伴って無線で行われることを特徴とする方法。
【請求項２８】
請求項26記載の方法であって、
前記記述表面上の再生制御グラフィカル・エレメントが認識されることに応じて前記記録の前記再生を調節する工程を更に備えることを特徴とする方法。
【請求項２９】
請求項26記載の方法であって、
前記記録中に行われる前記記述上の、前記筆記器具の位置に応じて前記記録の前記再生を調節する工程を更に備え、
前記再生が、前記記述が行われた時点に時間的に近い時点で記録された、前記記録の部分に移されることを特徴とする方法。
【請求項３０】
請求項23記載の方法であって、
前記筆記器具は、前記筆記表面上の、前記筆記器具の表面位置を検出するセンサを更に備えることを特徴とする方法。
【発明の詳細な説明】
【技術分野】
【０００１】
本書面による実施例は、一般的に、記述媒体と、記述媒体と相互作用する装置とに関する。特に、本書面は、コード化された記述媒体とともに使用可能な記録及び再生の機能を備えるインタアクティブな装置に関する。
【背景技術】
【０００２】
コンピュータが初めて世に送り出された時には、コンピュータは、ペーパーレス世界につながることになるという考え方が当初、存在した。しかし、コンピュータによって、紙の新用途がもたらされた。更に、紙の環境は、エレクトロニクスの環境と一体化し続けている。
【発明の開示】
【発明が解決しようとする課題】
【０００３】
通常、紙の環境とエレクトロニクスの環境とをマージする技術は、通常の紙と比較して費用がかかる。更に、こうした技術は、永続的な画像の記憶という、紙の基本機能を複製するに過ぎない。こうした技術のうち、インタアクティブな機能を紙の環境にもたらすものは何らない。
【０００４】
更に、オーディオ記録装置と記述媒体が一緒に利用される場合、記述媒体上の記述と、記録オーディオとの間にリンクは何らない。すなわち、オーディオ記録装置と記述媒体は、お互いに無関係に動作する。オーディオ記録装置と記述媒体とを同時に効率的に利用するのは、不都合であり、かつ、困難である。更に、記録オーディオと記述媒体は、お互いに離れており、見失うことがあり得る。
【課題を解決するための手段】
【０００５】
インタアクティブな装置を開示する。インタアクティブな装置は、オーディオ記録モードとオーディオ再生モードとを有する。更に、インタアクティブな装置は、コード化された記述媒体上に手で記述する筆記ツールと、オーディオを記録するオーディオ入力装置と、記録オーディオを再生するオーディオ出力装置とを含む。更に、インタアクティブな装置は、筆記ツールの、コード化された記述媒体上の位置を判定し、かつ、コード化された記述媒体上の情報を認識する光ユニットを有し、コード化された記述媒体上の、記録をイネーブルするグラフィカル・エレメントが認識されることによって、オーディオ記録モードが起動され、筆記ツールによる、コード化された記述媒体上の記述の作成と、オーディオの記録との時間的な同期をとることが可能になり、更に、コード化された記述媒体上の、再生をイネーブルするグラフィカル・エレメントが認識されることによって、オーディオ再生モードが起動され、複数の手法によって記録オーディオの再生を制御することが可能になる。
【０００６】
一実施例では、インタアクティブな装置は更に、上記記述に関連した記録オーディオ及び情報を記憶するメモリ装置を備える。更に、インタアクティブな装置は、グラフィカル・エレメントの位置と、関連した記録オーディオとを遠隔記憶場所に伝送する通信装置を含む。通信装置は、無線通信装置であり得る。コード化された記述媒体は、点グリッドによってコード化された紙であり得る。筆記ツールは、ペンと鉛筆との一方であり得る。
【発明を実施するための最良の形態】
【０００７】
本明細書に組み入れられ、本明細書の一部を構成する添付図面は、本発明の実施例を示し、本明細書とともに本発明の原理を説明する役目を担う。
【０００８】
例を添付図面に示す、本発明の実施例の詳細な参照を次に行うこととする。本発明はこうした実施例に関して説明することとするが、こうした実施例に本発明を限定することを意図するものでないこととする。むしろ、本発明は、本特許請求の範囲記載の、本発明の技術思想及び範囲の中に含み得る代替、修正及び均等物を包含することが意図されている。更に、本発明の以下の詳細な説明では、数多くの特定の詳細を表して、本発明が徹底的に分かるようにしている。
【実施例】
【０００９】
図1Aは、本発明の実施例による、コード化された記述媒体100を示す。一実施例では、コード化された記述媒体100は、スウェーデンの企業であるアノト社に譲渡されており、内容を全て、本明細書及び特許請求の範囲に援用する、米国特許第6,502,756号、米国特許第6,548,768号、米国特許第6,570,104号、米国特許第6,586,688号、米国特許第6,663,008号、米国特許第6,666,376号、米国特許第6,667,695号、米国特許第6,674,427号、米国特許第6,689,966号、米国特許第6,698,660号、米国特許第6,722,574号、米国特許第6,732,927号及び米国特許第6,836,555号に詳細に記載されている技術と互換である、点グリッドによってコード化された紙である。紙上の点パターンを読み取ることによって、所定のマップ上の位置（例えば、Ｘ座標及びＹ座標）を判定することができる。なお、他のタイプのコード化された記述媒体も利用し得る。
【００１０】
続いて、図１Ｂは、本発明の実施例による、図１Aのコード化された記述媒体100の部分10を更に詳細に示す。図１Bに描くように、各点は、X軸からもY軸からもわずかにずれている。
【００１１】
図２は、本発明の実施例によるインタアクティブな装置200を示す。図2に示すように、インタアクティブな装置200は、記述/位置検出端部205と、取り外し可能な機能拡張装置220に結合する拡張端部210とを含む。記述/位置検出端部205は、筆記ツール230と、光240を用いて、コード化された記述媒体100上の位置を判定する点パターンを検出する光学系とを含む。インタアクティブな装置200は、ユーザによって利用し得る。実施例では、インタアクティブな装置200の形状は、ユーザによって筆記器具として用いるためのものである。
【００１２】
本発明の実施例による、図2のインタアクティブな装置200の構成図を図3Aに示す。図3Aに示すように、インタアクティブな装置200は、プロセッサ250と、光検出器258と、光エミッタ260と、メモリ装置254と、オーディオを記録するオーディオ入力装置と、オーディオを再生するオーディオ出力装置と、通信装置256と、筆記ツール262とを含む。筆記ツールは、コード化された記述媒体100上に手で記述するのに用いる。筆記ツールの例は、ペンと鉛筆とを含む。プロセッサ250、光検出器258及び光エミッタ260は、インタアクティブな装置200の、コード化された記述媒体100上の位置を判定し、コード化された記述媒体100上の情報を認識する光ユニットを構成する。特に、コード化された記述媒体100上の筆記ツール262の位置が判定される。実施例では、光エミッタ260は発光ダイオードである一方、光検出器258は、コード化された記述媒体100上の位置を判定するよう処理される2次元画像を記録する光感応型センサである。光感応型センサの例として、ＣＣＤセンサと、ＣＭＯＳセンサがある。
【００１３】
インタアクティブな装置200は、オーディオ入力装置264を介してオーディオを記録するオーディオ記録モードと、オーディオ出力装置252を介して記録オーディオを再生するオーディオ再生モードとを有する。実施例では、記録オーディオは、インタアクティブな装置200のオーディオ記録の構成部分/装置によってディジタル形式で記憶される。以下に説明するように、コード化された記述媒体上の、記録をイネーブルするグラフィィカル・エレメントが認識されることによって、オーディオ記録モードが起動され、筆記ツールによる、コード化された記述媒体上の記述の作成と、オーディオの記録との時間的な同期をとることが可能になる。更に、コード化された記述媒体上の、再生をイネーブルするグラフィカル・エレメントが認識されることによって、オーディオ再生モードが起動され、複数の手法によって記録オーディオの再生を制御することが可能になる。メモリ装置254は、コード化された記述媒体100上に作成された記述に関連した記録オーディオ278及び情報276を記憶し得る。情報276は、位置データ、文字認識情報等を含み得る。更に、メモリ装置254は、インタアクティブな装置200の機能を備えるコード/命令を記憶し得る。光ユニットによって、インタアクティブな装置200の相当する機能の起動/非活動化を行う、コード化された記述媒体100上のグラフィカル・エレメントをインタアクティブな装置200が認識することが可能になる。更に、光ユニットは、オーディオ記録モードにおけるオーディオの記録中に、コード化された記述媒体100の表面上の記述の光学的画像を捕捉し、記憶し得る。
【００１４】
実施例では、記録オーディオの再生を制御する複数の手法は、制御をイネーブルするグラフィカル・エレメントを用いて、記録オーディオの再生を制御する手法と、作成された記述と、時間的に同期をとることとを用いて、コード化された記述媒体100上の作成された記述上の、筆記ツール262の位置に基づいて記録オーディオの再生を始める場所を示す手法とを含み得る。これによって、インタアクティブな装置200の筆記ツールによって、コード化された記述媒体100上のオーディオの視覚キューを動的に作成することが容易になる。
【００１５】
通信装置256は、通信リンク266を介してネットワーク268及びコンピュータ・システム272と通信するよう構成される。ネットワーク268はデータ記憶装置270を有する一方、コンピュータ・システム272はハード・ドライブ274を有する。実施例では、通信装置256は無線通信装置である一方、通信リンク266は無線通信リンクである。通信装置256は、コード化された記述媒体100上に作成された記述に関連した、情報276の少なくとも一部分及び記録オーディオ278の少なくとも一部分を、データ記憶装置270やハード・ドライブ274などの遠隔記憶場所に伝送して、メモリ容量又は、長期的な記憶を管理し得る。
【００１６】
図3Bは、本発明の別の実施例による、図２のインタアクティブな装置200の構成図を示す。図3Aの記載は、以下に記載するもの以外は図３Bにあてはまる。図３Bでは、取り外し可能な機能拡張装置220がインタアクティブな装置200に結合される。取り外し可能な機能拡張装置220は、オーディオ入力装置264と、オーディオ処理装置282と、メモリ装置284とを含む。メモリ装置284は、コード化された記述媒体100上に作成された記述に関連した記録オーディオ278及び情報276を記憶し得る。
【００１７】
図4A、4B及び4Cは、本発明の実施例による、図2のインタアクティブな装置200のオーディオ記録モードを示す。図4Aを参照すれば、コード化された記述媒体100Aは当初、記述（印刷された記述又は、手書きの記述）は何らないことがあり得る。あるいは、コード化された記述媒体100Bは当初、印刷された記述及び/又は、手書きの記述を有し得る。インタアクティブな装置200を利用して、コード化された記述媒体100Aに、記録をイネーブルするグラフィカル・エレメント410を描き得る。あるいは、記録をイネーブルするグラフィカル・エレメント410は、コード化された記述媒体100A上に予め印刷し得る。インタアクティブな装置200は、記録をイネーブルするグラフィカル・エレメント410を認識し、更に、インタアクティブな装置200のオーディオ記録モードを起動させるよう構成される。図4Aに示す、記録をイネーブルするグラフィカル・エレメント410は例示的なものである。記録をイネーブルするグラフィカル・エレメント410の設計は、示すものと異なり得る。記録をイネーブルするグラフィカル・エレメント410が認識されることに応じて、インタアクティブな装置200のオーディオ記録モードが選択される。上記認識は、記録をイネーブルするグラフィカル・エレメント410上に軽く触り、インタアクティブな装置200によってもたらされるオーディオ・プロンプトに従うことを伴い得る。これによって、記録をイネーブルするグラフィカル・エレメント410を介して、コード化された記述媒体100A及び100Bへのオーディオの動的なタグ付けを行うことが可能になる。すなわち、オーディオと、コード化された記述媒体は、視覚的に一体化される。
【００１８】
図４Bに進めば、インタアクティブな装置200がオーディオ記録モードに入ると、インタアクティブな装置200はオーディオを記録する。オーディオを記録している間、インタアクティブな装置200を利用して、コード化された記述媒体100A、100B及び100C上に手書きで記述し得る。更に、インタアクティブ装置200は、筆記ツール262による、コード化された記述媒体100上の記述490の作成と、オーディオの記録との時間的な同期をとる。オーディオは、メモリ装置254及び284にディジタル形式で記録し得るもの並びに/又はインタアクティブな装置200から遠隔に記憶し得るものである。更に、インタアクティブな装置200は、コード化された記述媒体100上に作成された記述490に関連した情報を得る。情報は、位置データ、文字認識情報等を含み得る。コード化された記述媒体100Aは、メモの記述と、授業の講義の記録との例を備える。
【００１９】
更に、コード化された記述媒体100Bは、印刷された記述及び/又は、手書きの記述のレビュー及び編集と、記述されたコメントに加えてか、その代わりのオーディオ・コメントの記録との例を備える。最後に、コード化された記述媒体100Cは、会話を録音している間にメモをとる例を備える。インタアクティブな装置200は、オーディオ記録モードにおけるオーディオの記録の間にコード化された記述媒体100A、100B及び100Cの表面上の記述（印刷された記述又は、手書きの記述）の光学的画像を捕捉し、記憶し得る。これによって、インタアクティブな装置を有する別のユーザが用いるよう、コード化された記述媒体の表面上の同じ記述（印刷された記述又は、手書きの記述）を有する別のコード化された記述媒体の生成及び印刷が可能になる。上記のように、コード化された記述媒体上に作成された記述490に関連した記録オーディオ及び情報と、記述（手で作成された記述及び、予め印刷された記述）の光学的画像は、局所的に記憶し得るもの及び/又は、データ記憶装置270やハード・ドライブ274などの遠隔記憶場所に記憶し得るものである。
【００２０】
実施例では、記録オーディオの再生を制御する複数の手法は、制御をイネーブルするグラフィカル・エレメント450（図５Ａ、５Ｂ及び５Ｃ参照。）を用いて記録オーディオの再生を制御する手法と、作成された記述490と、時間的に同期をとることとを用いて、コード化された記述媒体上に作成された記述490上の、筆記ツール262の位置に基づいて記録オーディオの再生を開始する場所を示す手法とを含み得る。これによって、インタアクティブな装置200の筆記ツール262による、コード化された記述媒体上にオーディオの視覚キューの動的作成が容易になる。
【００２１】
図４Ｃでは、インタアクティブな装置200のオーディオ記録モードは、コード化された記述媒体100C上の、制御をイネーブルする複数のグラフィカル・エレメント450のうちの少なくとも１つが認識されることに応じて非活動化させ得る。この認識は、制御をイネーブルするグラフィカル・エレメント450上に軽く触れ、インタアクティブな装置200によってもたらされるオーディオ・プロンプトに従うことを伴い得る。インタアクティブな装置200を利用して、コード化された記述媒体100C上に、制御をイネーブルするグラフィカル・エレメント450を描き得る。あるいは、制御をイネーブルするグラフィカル・エレメント450は、コード化された記述媒体100C上に予め印刷され得る。図4Cに示す、制御をイネーブルするエレメント450は例示的なものである。制御をイネーブルするグラフィカル・エレメント450の設計は、示したものと異なり得る。
【００２２】
図5A、5B及び５Cは、本発明の実施例による、図2のインタアクティブな装置のオーディオ再生モードを示す。図５Ａを参照すれば、インタアクティブな装置200は、再生をイネーブルするグラフィカル・エレメント420を認識し、更に、インタアクティブな装置200のオーディオ再生モードを起動するよう構成される。図5Aに示す、再生をイネーブルするグラフィカル・エレメント420は例示的なものである。再生をイネーブルするグラフィカル・エレメント420の設計は、示すものと異なり得る。再生をイネーブルするグラフィカル・エレメント420が認識されることに応じて、インタアクティブな装置200のオーディオ再生モードが選択される。上記認識は、再生をイネーブルするグラフィカル・エレメント420上に軽く触れることと、インタアクティブな装置200によってもたらされるオーディオ・プロンプトに従うこととを伴い得る。インタアクティブな装置200を利用して、コード化された記述媒体102C上に、再生をイネーブルするグラフィカル・エレメント420と、制御をイネーブルするグラフィカル・エレメント450とを描き得るものであり、制御をイネーブルするグラフィカル・エレメント450は、オーディオ再生モードにおける記録オーディオの再生を制御する。あるいは、再生をイネーブルするグラフィカル・エレメント420と、制御をイネーブルするグラフィカル・エレメント450とを、コード化された記述媒体100C上に予め印刷し得る。図５Aに示す、制御をイネーブルするグラフィカル・エレメント450は例示的なものである。制御をイネーブルするグラフィカル・エレメント450の設計は、示すものと異なり得る。インタアクティブな装置200は、制御をイネーブルするグラフィカル・エレメント450を認識し、更に、インタアクティブな装置200のオーディオ再生モードにおける記録オーディオの再生の制御をイネーブルするよう構成される。
【００２３】
図5Bに進めば、インタアクティブな装置200がオーディオ再生モードにある場合、コード化された記述媒体100C上の記述490に関連した記録オーディオ278が取り出される。記録オーディオ278は、インタアクティブな装置200を用いて再生される。記録オーディオは、メモリ装置254やメモリ装置284などの局所記憶装置から取り出し得る。
【００２４】
更に、記録オーディオは、通信リンク266を介してデータ記憶装置270やハード・ドライブ274などの遠隔記憶装置から取り出し得る。更に、コード化された記述媒体100C上に作成された記述490に関連した情報を、通信リンク266を介して局所記憶装置（例えば、メモリ装置254及び284）並びに/又は遠隔記憶装置（例えば、データ記憶装置270及びハード・ドライブ274）から取り出し得る。オーディオ再生モードの間、インタアクティブな装置200を利用して、制御をイネーブルするグラフィカル・エレメント450を認識し得る。この認識は、制御をイネーブルするグラフィカル・エレメント450上に軽く触れることと、インタアクティブな装置200によってもたらされるオーディオ・プロンプトに従うこととを伴い得る。遅延、中断、再生、巻き戻し、順送り、高速巻き戻し、高速順送り、スピードや停止などの制御が、制御をイネーブルするグラフィカル・エレメント450によって備えられる。
【００２５】
上記のように、記録オーディオの再生を制御する複数の手法は、制御をイネーブルするグラフィカル・エレメント450を用いて記録オーディオの再生を制御する手法と、作成された記述490と、時間的に同期をとることとを用いて、コード化された記述媒体100C上に作成された記述490上の筆記ツール262の位置に基づいて記録オーディオの再生を開始する場所を示す手法とを含み得る。
【００２６】
図5Cでは、インタアクティブな装置200のオーディオ再生モードは、コード化された記述媒体100C上の、制御をイネーブルする複数のグラフィカル・エレメント450のうちの少なくとも１つが認識されることに応じて非活動化させ得る。上記認識は、制御をイネーブルするグラフィカル・エレメント450上に軽く触れることと、インタアクティブな装置200によってもたらされるオーディオ・プロンプトに従うこととを伴い得る。
【００２７】
図6Aは、本発明の実施例による、図2のインタアクティブな装置のオーディオ記録モードを示す流れ図600を示す。図1A乃至5Cを参照する。
【００２８】
ブロック610では、インタアクティブな装置200は、コード化された記述媒体100上の、記録をイネーブルするグラフィカル・エレメント410が認識されることに応じてオーディオ記録モードを起動させる。記録をイネーブルするグラフィカル・エレメント410は、筆記ツール262によって描いてもよく、コード化記述媒体100上に予め印刷してもよい。上記認識は、記録をイネーブルするグラフィカル・エレメント410上に軽く触れることと、インタアクティブな装置200によってもたらされるオーディオ・プロンプトに従うこととを伴い得る。
【００２９】
更に、ブロック620では、インタアクティブな装置200を用いてオーディオを記録している間、筆記ツール262による、コード化された記述媒体100上の記述の作成と、オーディオの記録が、インタアクティブな装置200を用いて時間的に同期がとられる。
【００３０】
更に、ブロック630では、インタアクティブな装置200のオーディオ記録モードは、コード化された記述媒体100上の、制御をイネーブルする複数のグラフィカル・エレメント450のうちの少なくとも1つが認識されることに応じて非活動化される。コード化された記述媒体100上に作成された記述に関連した記録オーディオ278及び情報276は、局所（例えば、メモリ装置254や284）に記憶し得るもの及び/又は、データ記憶装置270やハード・ドライブ274などの遠隔記憶場所に記憶し得るものである。更に、コード化された記述媒体100上に作成された記述に関連した記録オーディオ278及び情報276は、局所メモリ（例えば、メモリ装置254や284）及び/又は遠隔記憶場所（例えば、データ記憶装置270やハード・ドライブ274）に保持し得るものであり、コード化された記述媒体100上に作成された記述上の、他のグラフィカル・エレメント、又は筆記ツール262の位置が認識されることに応じて後に、オーディオ再生モード中に取り出し得る。
【００３１】
図6Bは、本発明の実施例による、図2のインタアクティブな装置のオーディオ再生モードを示す流れ図700を示す。図1A乃至５Cを参照する。
【００３２】
ブロック710では、インタアクティブな装置200は、コード化された記述媒体100上の、再生をイネーブルするグラフィカル・エレメント420が認識されることに応じてオーディオ記録モードを起動させる。再生をイネーブルするグラフィカル・エレメント420は、筆記ツール262によって描いてもよく、コード化された記述媒体100上に予め印刷してもよい。上記認識は、再生をイネーブルするグラフィカル・エレメント420上に軽く触れることと、インタアクティブな装置200によってもたらされるオーディオ・プロンプトに従うこととを伴い得る。
【００３３】
更に、ブロック720では、オーディオ再生モードでは、コード化された記述媒体100上の記述に関連した記録オーディオ278が取り出される。記録オーディオ278は、インタアクティブな装置200を用いて再生される。記録オーディオは、局所メモリ（例えば、メモリ装置254や284）並びに/又は遠隔記憶場所（例えば、データ記憶装置270やハード・ディスク274）から無線リンクを介して取り出し得る。コード化された記述媒体100上の、制御をイネーブルするグラフィカル・エレメント450を用い得る。更に、コード化された記述媒体100上に作成された記述に関連した情報276を、局所メモリ（例えば、メモリ装置254や284）並びに/又は遠隔記憶場所（例えば、データ記憶装置270やハード・ドライブ274）から無線リンクを介して取り出し得る。
【００３４】
更に、ブロック730では、インタアクティブな装置200のオーディオ再生モードを、コード化された記述媒体100上の、制御をイネーブルする複数のグラフィカル・エレメント450の少なくとも１つが認識されることに応じて非活動化させる。更に、コード化された記述媒体100上に作成される記述に関連した記録オーディオ278及び情報276を、局所メモリ（例えば、メモリ装置254や284）及び/又は遠隔記憶場所（例えば、データ記憶装置270やハード・ドライブ274）に保持し得るものであり、コード化された記述媒体100上に作成された記述上の、他のグラフィカル・エレメント又は、筆記ツール262の位置が認識されることに応じて後に、オーディオ再生モード中に取り出し得る。
【００３５】
本発明の特定の実施例の以下の記載は、例証及び説明の目的で呈示されている。この記載は、網羅的なものとして意図しているものでなく、開示されたまさにその形態に本発明を限定することを意図しているものでもなく、多くの修正及び変形が、上記教示に鑑みて考えられる。本発明の原理とその実用的な応用とを最もうまく説明するために実施例を選択し、説明して、それによって、想定される特定の用途に適した種々の修正を備える、本発明と、種々の実施例とを当業者が最もうまく利用することが可能になる。本発明の範囲は、本特許請求の範囲とその均等物とによって規定されることが意図されている。
【図面の簡単な説明】
【００３６】
【図１Ａ】本発明の実施例による、コード化された記述媒体を示す図である。
【図１Ｂ】本発明の実施例による、図１Aの、コード化された記述媒体の一部分を更に詳細に示す図である。
【図２】本発明の実施例によるインタアクティブな装置を示す図である。
【図３Ａ】本発明の一実施例による、図２のインタアクティブな装置を示す構成図である。
【図３Ｂ】本発明の別の実施例による、図２のインタアクティブな装置を示す構成図である。
【図４Ａ】本発明の実施例による、図2のインタアクティブな装置のオーディオ記録モードを示す図である。
【図４Ｂ】本発明の実施例による、図2のインタアクティブな装置のオーディオ記録モードを示す図である。
【図４Ｃ】本発明の実施例による、図2のインタアクティブな装置のオーディオ記録モードを示す図である。
【図５Ａ】本発明の実施例による、図2のインタアクティブな装置のオーディオ再生モードを示す図である。
【図５Ｂ】本発明の実施例による、図2のインタアクティブな装置のオーディオ再生モードを示す図である。
【図５Ｃ】本発明の実施例による、図2のインタアクティブな装置のオーディオ再生モードを示す図である。
【図６Ａ】本発明の実施例による、図2のインタアクティブな装置のオーディオ記録モードを示す流れ図である。
【図６Ｂ】本発明の実施例による、図2のインタアクティブな装置のオーディオ再生モードを示す流れ図である。
【符号の説明】
【００３７】
100  記述媒体
10  100の一部分
200  インタアクティブな装置
205  記述/位置検出端部
210  拡張端部
220  取り外し可能な機能拡張装置
230  筆記ツール
240  光
250  プロセッサ
252  オーディオ出力装置
254  メモリ装置
256  通信装置
258  光検出器
260  光エミッタ
262  筆記ツール
264  オーディオ入力装置
266  通信リンク
268  ネットワーク
270  データ記憶装置
272  コンピュータ・システム
274  ハード・ドライブ
276  情報
278  記録オーディオ
282  オーディオ処理装置
284  メモリ装置
410  グラフィカル・エレメント
420  グラフィカル・エレメント
450  グラフィカル・エレメント
490  記述
【図１Ａ】
2006202282.tif 000003
【図１Ｂ】
2006202282.tif 000004
【図２】
2006202282.tif 000005
【図３Ａ】
2006202282.tif 000006
【図３Ｂ】
2006202282.tif 000007
【図４Ａ】
2006202282.tif 000008
【図４Ｂ】
2006202282.tif 000009
【図４Ｃ】
2006202282.tif 000010
【図５Ａ】
2006202282.tif 000011
【図５Ｂ】
2006202282.tif 000012
【図５Ｃ】
2006202282.tif 000013
【図６Ａ】
2006202282.tif 000014
【図６Ｂ】
2006202282.tif 000015
【外国語明細書】
2006202282.tif 000016
2006202282.tif 000017
2006202282.tif 000018
2006202282.tif 000019
2006202282.tif 000020
2006202282.tif 000021
2006202282.tif 000022
2006202282.tif 000023
2006202282.tif 000024
2006202282.tif 000025
2006202282.tif 000026
2006202282.tif 000027
2006202282.tif 000028
2006202282.tif 000029
2006202282.tif 000030
2006202282.tif 000031
2006202282.tif 000032
2006202282.tif 000033
2006202282.tif 000034
2006202282.tif 000035
2006202282.tif 000036
2006202282.tif 000037
2006202282.tif 000038
2006202282.tif 000039
2006202282.tif 000040
2006202282.tif 000041
2006202282.tif 000042
2006202282.tif 000043
【図１Ａ】
2006202282.tif 000044
【図１Ｂ】
2006202282.tif 000045
【図２】
2006202282.tif 000046
【図３Ａ】
2006202282.tif 000047
【図３Ｂ】
2006202282.tif 000048
【図４Ａ】
2006202282.tif 000049
【図４Ｂ】
2006202282.tif 000050
【図４Ｃ】
2006202282.tif 000051
【図５Ａ】
2006202282.tif 000052
【図５Ｂ】
2006202282.tif 000053
【図５Ｃ】
2006202282.tif 000054
【図６Ａ】
2006202282.tif 000055
【図６Ｂ】
2006202282.tif 000056